(57)【要約】【課題】スイッチング電源から出力された直流電圧に含まれるリップル電圧とリップルノイズ電圧とを、簡易に区別して測定する。【解決手段】スイッチング電源から出力された第１の電圧を所定期間測定する測定部と、前記測定された第１の電圧の情報を記憶部に格納する格納部と、前記格納された第１の電圧の最大値から最小値を減算して得た値をリップルノイズ電圧として決定する第１の決定部と、前記格納された第１の電圧を測定時刻ごとに所定時間で平均化して第２の電圧を生成する平均化部と、前記第２の電圧の最大値から最小値を減算して得た値をリップル電圧として推定する推定部と、前記推定されたリップル電圧を予め定められた所定電圧で除算して得た値が一定の条件を満たすかどうかを判定する判定部と、前記除算して得た値が前記一定の条件を満たした場合、前記推定されたリップル電圧をリップル電圧として決定する第２の決定部とを備えた。【選択図】図８
2016109490.tif 000002
【特許請求の範囲】
【請求項１】
スイッチング電源から出力された第１の電圧に含まれるリップルノイズ電圧およびリップル電圧を測定する電圧測定装置であって、前記電圧測定装置は、記憶部を備え、
前記第１の電圧を所定期間測定する測定部と、
前記測定された第１の電圧の情報を前記記憶部に格納する格納部と、
前記格納された第１の電圧の最大値から最小値を減算して得た値をリップルノイズ電圧として決定する第１の決定部と、
前記格納された第１の電圧を測定時刻ごとに所定時間で平均化して第２の電圧を生成する平均化部と、
前記第２の電圧の最大値から最小値を減算して得た値をリップル電圧として推定する推定部と、
前記推定されたリップル電圧を予め定められた所定電圧で除算して得た値が一定の条件を満たすかどうかを判定する判定部と、
前記除算して得た値が前記一定の条件を満たした場合、前記推定されたリップル電圧をリップル電圧として決定する第２の決定部と
を備えたことを特徴とする電圧測定装置。
【請求項２】
前記除算して得た値が前記一定の条件を満たさなかった場合、前記所定電圧を前記推定されたリップル電圧と代替して設定し、前記所定時間に一定時間を加算する設定部をさらに備え、
前記平均化部は、前記格納された第１の電圧を、測定時刻ごとに、前記一定時間が加算された所定時間で平均化して第３の電圧を生成し、
前記推定部は、前記第３の電圧の最大値から最小値を減算して得た値を第２のリップル電圧として推定し、
前記判定部は、前記推定された第２のリップル電圧を前記代替して設定された所定電圧で除算して得た第２の値が前記一定の条件を満たすかどうかを判定し、
前記第２の決定部は、前記除算して得た第２の値が前記一定の条件を満たした場合、前記推定された第２のリップル電圧をリップル電圧として決定することを特徴とする請求項１に記載の電圧測定装置。
【請求項３】
スイッチング電源から出力された第１の電圧に含まれるリップルノイズ電圧およびリップル電圧を測定する装置による電圧測定方法であって、前記装置は、記憶部を備え、
前記第１の電圧を所定期間測定するステップと、
前記測定された第１の電圧の情報を前記記憶部に格納するステップと、
前記格納された第１の電圧の最大値から最小値を減算して得た値をリップルノイズ電圧として決定するステップと、
前記測定された第１の電圧を測定時刻ごとに所定時間で平均化して第２の電圧を生成するステップと、
前記第２の電圧の最大値から最小値を減算して得た値をリップル電圧として推定するステップと、
前記推定されたリップル電圧を予め定められた所定電圧で除算して得た値が一定の条件を満たすかどうかを判定するステップと、
前記除算して得た値が前記一定の条件を満たした場合、前記推定されたリップル電圧をリップル電圧として決定するステップと
を備えることを特徴とする電圧測定方法。
【請求項４】
前記除算して得た値が前記一定の条件を満たさなかった場合、前記所定電圧を前記推定されたリップル電圧と代替して設定し、前記所定時間に一定時間を加算するステップをさらに備え、
前記平均化するステップにおいて、前記格納された第１の電圧を、測定時刻ごとに、前記一定時間が加算された所定時間で平均化して第３の電圧を生成し、
前記推定部するステップにおいて、前記第３の電圧の最大値から最小値を減算して得た値を第２のリップル電圧として推定し、
前記判定部するステップにおいて、前記推定された第２のリップル電圧を前記代替して設定された所定電圧で除算して得た第２の値が前記一定の条件を満たすかどうかを判定し、
前記第２の決定部するステップにおいて、前記除算して得た第２の値が前記一定の条件を満たした場合、前記推定された第２のリップル電圧をリップル電圧として決定することを特徴とする請求項３に記載の電圧測定方法。
【発明の詳細な説明】
【技術分野】
【０００１】
本発明は、スイッチング電源から出力される電圧を測定する装置に関し、より詳細には、当該電圧に含まれるリップル電圧とリップルノイズ電圧とを区別して測定するための装置および方法に関する。
【背景技術】
【０００２】
従来から、商用電力系統からの交流電圧を、スイッチング電源によって直流電圧に変換して負荷に供給する技術が広く知られており、例えば、電気機器の電源ユニットなどに用いられている。電気機器は、サーバやルータなどのＩＣＴ（Information and Communication Technology：情報通信技術）機器を含む。一般に、スイッチング電源に入力された交流電圧は、ダイオードブリッジなどの整流器によって整流化され、整流化された電圧は、電解コンデンサなどの平滑コンデンサによって平滑化される。平滑化された電圧は、ＭＯＳＦＥＴなどのスイッチング素子の高速スイッチングによって商用周波数よりはるかに高い周波数（例えば、数百ｋＨｚ）のパルス波に変換され、トランスによって変圧される。そして、変圧された電圧は、整流器によって整流化され、平滑コンデンサによって平滑化されてスイッチング電源から出力される。
【０００３】
スイッチング電源から出力された直流電圧は、理想としては直線形の波形が好ましいが、実際には商用周波数およびスイッチング周波数のリップル電圧およびインパルス状のノイズ電圧を含んでいる。
【０００４】
図１にリップル電圧、ノイズ電圧、およびリップルノイズ電圧を説明するための図を表す。図１（ａ）は、スイッチング電源から出力された電圧と時間との関係を表し、図１（ｂ）は、図１（ａ）に示す電圧波形の一部を拡大した図である。
【０００５】
リップル電圧は、ＡＣリップル電圧にスイッチングリップル電圧が重畳された電圧をいう。ＡＣリップル電圧は、入力された商用周波数が除去しきれずに残った成分をいい、例えば、図１（ｂ）において、入力された商用周波数の周期の１サイクルのピークＡとピークＡ’との間の電圧で示される。スイッチングリップル電圧は、平滑コンデンサで平滑化しきれなかった成分、且つ、ノイズ電圧を含まない成分で、例えば、図１（ｂ）において、スイッチング周期の１サイクルのピークＢとピークＢ’との間の電圧で示される。つまり、リップル電圧は、スイッチング電源から出力された電圧からノイズ電圧を取り除いた部分であって、例えば、図１（ｂ）において、入力された商用周波数の周期の１サイクルのピークＣとピークＣ’との間の電圧で示される。
【０００６】
ノイズ電圧は、スイッチング素子のスイッチングによって生じた電圧であり、例えば、図１（ｂ）において、スイッチング周期の１サイクルのピークＤとピークＤ’との間の電圧で示される。リップルノイズ電圧は、リップル電圧とノイズ電圧とを含んだ電圧であり、例えば、図１（ｂ）において、入力された商用周波数の周期の１サイクルのピークＥとピークＥ’との間の電圧で示される。
【０００７】
スイッチング電源から出力された直流電圧に含まれるリップル電圧およびリップルノイズ電圧の電圧値が大きいと、当該直流電圧の出力先の電気機器の内部部品に支障を生じさせ、電気機器が安定して動作しなくなる場合がある。そこで、スイッチング電源から出力されるリップル電圧、リップルノイズ電圧が一定の値を超えないように、スイッチング電源試験において満足すべきスイッチング電源の特性や定格などの条件が非特許文献１に規定されている。また、リップル電圧、リップルノイズ電圧について、測定する方法がそれぞれ規定されている。しかし、リップル電圧、リップルノイズ電圧を、スイッチング電源から出力された電圧から区別してそれぞれ測定することは困難である。
【０００８】
そこで、スイッチング電源から出力された電圧をオシロスコープに表示させて、電圧波形を試験者が視認して、リップル電圧、リップルノイズ電圧をそれぞれ測定する試みがある。
【０００９】
図２にオシロスコープに表示された、スイッチング電源から出力された電圧の波形の一例を示す。図２に示すグラフの縦軸は電圧（Ｖ）を示し、横軸は時間（秒）を示す。図２に示す電圧波形は、実際にはＡＣリップルを含んでいるが、時間軸が拡大されているため目立たなくなっている。リップルノイズ電圧については、図２のピークＦとピークＦ’との間の電圧で示されることが理解できるが、リップル電圧については、図２のＧのどの部分からＧ’のどの部分までがリップル電圧なのかを正確に特定できない。したがって、測定する試験者、試験状況によって測定されたリップル電圧の値が変化する可能性がある。
【００１０】
また、スイッチング電源から出力された電圧をローパスフィルタに通して、ノイズを除去したものをリップル電圧として取得する方法が考えられるが、商用周波数とスイッチング周波数とが相違するため、全ての周波数のノイズを除去することは難しい。さらに、ローパスフィルタを通すことでリップル電圧の波形が変形する可能性がある。
【００１１】
そこで、スイッチング電源のスイッチング周期に対するパルス幅の比を指定して、スイッチング電源から出力された電圧のうちリップル電圧に相当する部分の電圧を抽出する方法が知られている。
【００１２】
図３にスイッチング周期に対するパルス幅の比を指定するために用いられる回路図を示す。スイッチング電源から出力された電圧は、図３に示す回路の入力Ｔinに入力され、回路内で所定の演算が行われ、リップル電圧Ｖrが回路の出力Ｔoutから出力される。抵抗Ｒ１+、Ｒ２+、Ｒ１-、およびＲ２-をそれぞれ設定することによって、スイッチング周期Ｔoに対するパルス幅Ｔnの比Φが指定される。比Φ（％）は、次の（式１）で表される。  
Φ＝Ｔn／Ｔo×１００      （式１）
【００１３】
図４に従来のリップル電圧とリップルノイズ電圧とを区別して測定する方法を説明するための図を示す。図４（ａ）は、リップル電圧とリップルノイズ電圧を含む電圧の波形の一部を表し、図４（ｂ）は、リップル電圧Ｖrと比Φとの関係を表す。
【００１４】
図４（ｂ）に示すように、比Φを変化させたときのリップル電圧Ｖrの推定値は、パルス幅Ｔnがノイズの幅Ｈより狭いときには急激に変化するが、ノイズの幅Ｈより広くなるときに変化の度合いが小さくなる。よって、パルス幅Ｔnがノイズの幅Ｈと一致するときの比Φが最適であると判定し、当該比ΦのＶrをリップル電圧と決定する。
【先行技術文献】
【非特許文献】
【００１５】
【非特許文献１】「電子情報技術産業協会規格 ＪＥＩＴＡ ＲＣ−９１３１Ｂ スイッチング電源試験方法（ＡＣ−ＤＣ）」、p.21、インターネット＜ＵＲＬ：http://www.jeita.or.jp/japanese/standard/book/RC-9130B＞、２００７年６月
【発明の概要】
【発明が解決しようとする課題】
【００１６】
しかしながら、最適な比Φを求めるためには、複数回抵抗Ｒの設定を繰り返す必要があり、時間と労力がかかるという問題があった。また、測定対象のスイッチング電源で発生したノイズに変動があった場合、ノイズの幅Ｈが変動し、算出したリップル電圧Ｖrも変動するため、再度ノイズの幅Ｈを設定し直す必要が生じるという問題があった。
【００１７】
本発明は、このような問題に鑑みてなされたもので、その目的とするところは、スイッチング電源から出力された電圧に含まれるリップル電圧とリップルノイズ電圧とを、簡易に区別して測定するための装置および方法を提供することにある。
【課題を解決するための手段】
【００１８】
本発明は、このような目的を達成するために、請求項１に記載の発明は、スイッチング電源から出力された第１の電圧に含まれるリップルノイズ電圧およびリップル電圧を測定する装置であって、前記電圧測定装置は、記憶部を備え、前記第１の電圧を所定期間測定する測定部と、前記測定された第１の電圧の情報を前記記憶部に格納する格納部と、前記格納された第１の電圧の最大値から最小値を減算して得た値をリップルノイズ電圧として決定する第１の決定部と、前記格納された第１の電圧を測定時刻ごとに所定時間で平均化して第２の電圧を生成する平均化部と、前記第２の電圧の最大値から最小値を減算して得た値をリップル電圧として推定する推定部と、前記推定されたリップル電圧を予め定められた所定電圧で除算して得た値が一定の条件を満たすかどうかを判定する判定部と、前記除算して得た値が前記一定の条件を満たした場合、前記推定されたリップル電圧をリップル電圧として決定する第２の決定部とを備えたことを特徴とする。
【発明の効果】
【００１９】
本発明によれば、スイッチング電源から出力された電圧に含まれるリップル電圧とリップルノイズ電圧とを、簡易に区別して測定することが可能となる。
【図面の簡単な説明】
【００２０】
【図１】リップル電圧、ノイズ電圧、およびリップルノイズ電圧を説明するための図であり、（ａ）は、スイッチング電源から出力された電圧と時間との関係を表し、（ｂ）は、（ａ）に示す電圧波形の一部を拡大した図である。
【図２】オシロスコープに表示された、スイッチング電源から出力された電圧の波形の一例を示す図である。
【図３】スイッチング周期に対するパルス幅の比を指定するために用いられる回路図である。
【図４】従来のリップル電圧とリップルノイズ電圧とを区別して測定する方法を説明するための図であり、（ａ）は、リップル電圧とリップルノイズ電圧を含む電圧の波形の一部を表し、（ｂ）は、リップル電圧Ｖrと比Φとの関係を表す図である。
【図５】本発明の一実施形態にかかる電圧測定装置を含む構成を示すブロック図である。
【図６】本発明の一実施形態にかかる、電圧測定装置の機能ブロック図である。
【図７】本発明の一実施形態にかかる、記憶部に格納された電圧の平均化について説明するための図であり、（ａ）は、平均化する前の電圧の波形、つまり、記憶部に格納された電圧の波形を表し、（ｂ）は、測定時刻ごとに平均化所定時間Ｔa_jで平均化した後の電圧の波形を表し、（ｃ）は、測定時刻ごとに平均化所定時間Ｔa_kで平均化した後の電圧の波形を表す図である。
【図８】本発明の一実施形態にかかるリップル電圧とリップルノイズ電圧と区別して測定する方法を説明するための図であり、（ａ）は、図７（ａ）〜（ｃ）の電圧の波形を重ね合わせた波形を表し、（ｂ）は、リップル電圧の推定値と平均化所定時間との関係を表す。
【図９】本発明の一実施形態にかかる電圧測定方法を示すフローチャートである。
【発明を実施するための形態】
【００２１】
以下、図面を参照しながら本発明の実施形態について詳細に説明する。
【００２２】
（構成）  
図５に本発明の一実施形態にかかる電圧測定装置を含む構成のブロック図を示す。商用電力系統１から出力された交流電圧は、スイッチング電源２によって直流電圧に変換され、電力線３を介して負荷４に印加される。電力線３には、電圧プローブ５が設置され、負荷４に印加される直流電圧が測定される。測定された直流電圧は、ＡＤ変換器６に送信され、アナログからデジタルに変換され、本発明の一実施形態にかかる電圧測定装置７に送信される。なお、本発明の一実施形態にかかる電圧測定装置７は、ＡＤ変換器を含まない構成になっているが、ＡＤ変換器を含んでもよい。
【００２３】
図６に本発明の一実施形態にかかる、電圧測定装置７の機能ブロック図を示す。電圧測定装置７は、制御部７１と、制御部７１で生成された各種データを格納するための記憶部７２とを備える。制御部７１はＣＰＵ（Central Processing Unit）を備え、後述する各機能部は当該ＣＰＵによって実行される。記憶部７２は、例えば、ＲＯＭ（Read Only Memory）やＲＡＭ（Random Access Memory）などの記憶領域で構成される。
【００２４】
制御部７１は、送受信部７１１、出力電圧測定部７１２、データ格納部７１３、リップルノイズ電圧決定部（第１の決定部）７１４、平均化部７１５、リップル電圧推定部７１６、判定部７１７、リップル電圧決定部（第２の決定部）７１８、設定部７１９、および表示部７２０の各機能部を備えた構成となっている。
【００２５】
送受信部７１１は、例えば、電圧プローブ５で計測されＡＤ変換された電圧情報などのデジタル信号を外部から受信し、各機能部で生成された各種データを記憶部７２へ送信する。出力電圧測定部７１２は、電圧プローブ５を用いてスイッチング電源２から出力された電圧（第１の電圧）を所定期間測定する。データ格納部７１３は、所定期間測定された電圧の情報を、送受信部７１１を介して、記憶部７２に格納する。所定期間は、ＡＣリップル電圧を考慮し、入力される商用周波数の１サイクルの周期よりも最低限大きくする。本発明の一実施形態では、記憶部７２に格納される所定期間測定された電圧の情報に基づいて、リップルノイズ電圧とリップル電圧を区別して取得する処理が一括して行なわれる。よって、一回の測定処理でリップルノイズ電圧とリップル電圧を取得することができるので、測定作業の迅速化を図ることができる。
【００２６】
リップルノイズ電圧決定部７１４は、記憶部７２に格納された電圧における最大値から最小値を減算してリップルノイズ電圧を取得する。平均化部７１５は、記憶部７２に格納された電圧を測定時刻ごとに平均化所定時間で平均化を行う。本明細書で「平均化」とは、移動平均を用いた平均化を表すが、平均化する方法はこれに限られない。平均化所定時間とは、記憶部７２に格納された電圧を平均化するために用いる時間である。平均化部７１５は、スイッチング周期より短い周期である平均化所定時間で平均化を行う。リップル電圧推定部７１６は、平均化された電圧（第２の電圧）の最大値から最小値を減算してリップル電圧の推定値を算出する。
【００２７】
判定部７１７は、推定されたリップル電圧を予め定められ記憶部７２に格納された所定電圧で除算して得た値が後述する一定の条件を満たすかどうかを判定する。リップル電圧決定部７１８は、除算して得た値が一定の条件を満たした場合、リップル電圧の推定値をリップル電圧として決定する。
【００２８】
設定部７１９は、除算して得た値が一定の条件を満たさなかった場合、当該所定電圧を推定されたリップル電圧と代替して設定し、平均化所定時間に一定時間を加算する。
【００２９】
表示部７２０は、決定されたリップルノイズ電圧およびリップル電圧を、オシロスコープ等の表示装置に表示する。
【００３０】
（動作）  
先ず、出力電圧測定部７１２は、スイッチング電源２から出力された電圧を電圧プローブ５を用いて所定期間、測定する。データ格納部７１３は、測定された電圧を記憶部７２に格納する。リップルノイズ電圧決定部７１４は、記憶部７２に格納された電圧の最大値から最小値を減算して得た値を、リップルノイズ電圧として決定する。次に、平均化部７１５は、記憶部７２に格納された電圧の平均化を行う。
【００３１】
図７に本発明の一実施形態にかかる、記憶部７２に格納された電圧の平均化について説明するための図を示す。図７（ａ）は、平均化する前の電圧の波形、つまり、記憶部７２に格納された電圧の波形を表す。図７（ｂ）は、測定時刻ごとに平均化所定時間Ｔa_jで平均化した後の電圧の波形を表し、図７（ｃ）は、測定時刻ごとに平均化所定時間Ｔa_kで平均化した後の電圧の波形を表す。Ｔa_j＜Ｔa_kとする。
【００３２】
図７（ａ）〜（ｃ）により、平均化していく過程で、電圧の波形のノイズ成分が除去されていくのが見て取れる。平均化部７１５は、記憶部７２に格納された電圧を測定時刻ごとに平均化所定時間（初期値として、例えば０.０５μs）で平均化し、図７（ｂ）、（ｃ）に示すような平均化された電圧の波形を生成する。平均化とは、例えば、図７（ａ）に示すように、或る測定時刻ｔxを中心として、平均化所定時間Ｔa_jの間の複数の測定時刻における電圧の平均値を出し、中心となる測定時刻を１測定周期ずつずらしながら、平均化所定時間Ｔa_jの間の電圧の平均値を出す処理を繰り返すことをいう。平均化所定時間Ｔa_jの間の電圧の平均値は、図７（ｂ）に示すグラフで表される。
【００３３】
本発明の一実施形態では、平均化された電圧の波形の最大値と最小値の差をリップル電圧の推定値として取り扱う。リップル電圧の推定値は、図７（ｂ）において、平均化所定時間がＴa_jの場合、ピークＪとピークＪ’との間の電圧Ｖr_jで示され、図７（ｃ）において、平均化所定時間がＴa_kの場合、ピークＫとピークＫ’との間の電圧Ｖr_kで示される。
【００３４】
図８に本発明の一実施形態にかかるリップル電圧とリップルノイズ電圧と区別して測定する方法を説明するための図を示す。図８（ａ）は、図７（ａ）〜（ｃ）の電圧の波形を重ね合わせた波形を表し、図８（ｂ）は、リップル電圧の推定値Ｖrと平均化所定時間Ｔaとの関係を表す。図８（ａ）のグラフの縦軸はスイッチング電源２から出力された電圧の値を示し、横軸は時間を示す。また、図８（ｂ）のグラフの縦軸はリップル電圧の推定値を示し、横軸は平均化所定時間を示す。図８（ａ）において、図７（ａ）に示す波形を実線で、図７（ｂ）に示す波形を一点鎖線で、図７（ｃ）に示す波形を破線で表す。
【００３５】
リップル電圧推定部７１６は、平均化された電圧の最大値から最小値を減算して得た値をリップル電圧として推定する。
【００３６】
次に、判定部７１７は、リップル電圧の推定値Ｖrを予め定められ記憶部７２に格納された所定電圧Ｖaで除算して得た値が、一定の条件を満たすかどうかを判定する。所定電圧Ｖaの初期値は、リップル電圧より充分大きくする必要があるため、例えば、１００Ｖで設定される。一定の条件とは、例えば、次の（式２）で定められる。
【００３７】
【数１】
2016109490.tif 000003
【００３８】
ａは、判定のための数値で、例えば、０.９９である。本発明の一実施形態では、平均化所定時間が加算され、測定時刻ごとに平均化所定時間で電圧を平均化した後リップル電圧の推定値Ｖrを求め、所定電圧Ｖaを当該求められたリップル電圧の推定値Ｖrに置き換える処理を、リップル電圧を決定するまで繰り返す。一方、Ｖr／Ｖaの値は、始めは小さな値であるが、当該処理を繰り返すごとに増加していき、或る平均化所定時間で数値ａを超えることになる。当該或る平均化所定時間におけるリップル電圧の推定値Ｖrが、最適なリップル電圧となる。
【００３９】
したがって、図８（ｂ）に示すグラフにおけるリップル電圧の変化のポイント、つまり、最適な平均化所定時間を見つけ出し、最適なリップル電圧を取得することが、（式２）を用いることによって実現可能となる。
【００４０】
除算して得た値が当該一定の条件を満たした場合、リップル電圧決定部７１８は、リップル電圧の推定値をリップル電圧として決定する。図８（ａ）の平均化所定時間Ｔa_kの場合であって、リップル電圧の推定値Ｖr_kが、（式２）の条件を満たせば、リップル電圧決定部７１８はリップル電圧の推定値Ｖr_kをリップル電圧として決定する。
【００４１】
除算して得た値が当該一定の条件を満たさなかった場合、設定部７１９は、予め定められ記憶部７２に格納された所定電圧Ｖaをリップル電圧の推定値Ｖrと代替して設定し、平均化所定時間に一定時間（例えば、０.０１μs）を加算する。設定部７１９の設定後、判定部７１７において当該除算して得た値が当該一定の条件を満たし、リップル電圧が決定されるまで、平均化部７１５、リップル電圧推定部７１６、判定部７１７、および設定部７１９の各処理が繰り返される。
【００４２】
（フローチャート）  
図９に本発明の一実施形態にかかる電圧測定方法を示すフローチャートを示す。出力電圧測定部７１２は、スイッチング電源２から出力された電圧を所定期間測定する（Ｓ１０１）。データ格納部７１３は、測定された電圧の情報を記憶部７２に格納する（Ｓ１０２）。リップルノイズ電圧決定部７１４は、記憶部７２に格納された電圧における最大値から最小値を減算して得た値をリップルノイズ電圧として決定する（Ｓ１０３）。平均化部７１５は、記憶部７２に格納された電圧を、測定時刻ごとに平均化所定時間で平均化する（Ｓ１０４）。リップル電圧推定部７１６は、平均化された電圧の最大値から最小値を減算して得た値をリップル電圧として推定する（Ｓ１０５）。判定部７１７は、推定されたリップル電圧を予め定められ記憶部７２に格納された所定電圧で除算して得た値が一定の条件を満たすかどうかを判定する（Ｓ１０６）。当該除算して得た値が当該一定の条件を満たした場合、リップル電圧決定部７１８は、推定されたリップル電圧をリップル電圧として決定する（Ｓ１０７）。設定部７１９は、当該除算して得た値が当該一定の条件を満たさなかった場合、当該所定電圧を推定されたリップル電圧と代替して設定し、平均化所定時間に一定時間を加算して（Ｓ１０８）、ステップ１０４の処理に戻す。
【００４３】
本実施形態によれば、スイッチング電源から出力された電圧に含まれるリップル電圧とリップルノイズ電圧とを、簡易に区別して測定することが可能となる。
【００４４】
本発明の一実施形態では、リップルノイズ電圧およびリップル電圧を測定するまでの機能を有しているが、これに限られず、本発明の一実施形態に係る電圧測定装置にリップルノイズ電圧およびリップル電圧を評価する機能を備えさせ、リップルノイズ電圧およびリップル電圧が或る閾値を超えるかどうかによって、スイッチング電源の良否を決定してもよい。
【符号の説明】
【００４５】
１  商用電力系統
２  スイッチング電源
３  電力線
４  負荷
５  電圧プローブ
６  ＡＤ変換器
７  電圧測定装置
７１  制御部
７２  記憶部
７１１  送受信部
７１２  出力電圧測定部
７１３  データ格納部
７１４  リップルノイズ電圧決定部
７１５  平均化部
７１６  リップル電圧推定部
７１７  判定部
７１８  リップル電圧決定部
７１９  設定部
７２０  表示部
【図１】
2016109490.tif 000004
【図２】
2016109490.tif 000005
【図３】
2016109490.tif 000006
【図４】
2016109490.tif 000007
【図５】
2016109490.tif 000008
【図６】
2016109490.tif 000009
【図７】
2016109490.tif 000010
【図８】
2016109490.tif 000011
【図９】
2016109490.tif 000012